(57)【要約】      （修正有）【課題】定規を用紙面に置いて線引き作業や切断作業を行う際に、筆記具やナイフの先端から定規の縁部に加わる力によって定規がずれ動きにくく、且つ用紙面から摘み上げ易いアイデアが求められている。特別なテクニックや指先の痛みに耐える力がない人が、ゆとりを持って作業に励めるような定規を提供する。【解決手段】長尺状の両幅縁部の一方１から他方２に向かっておよそテーパー状に広がる外殻３を備える。【選択図】図１
2019142070.tif 000002
【特許請求の範囲】
【請求項１】
長尺状の両幅縁部の一方から他方に向かっておよそテーパー状に広がる外殻を備え、内部に空間を備える定規であって、
前記外殻を指先で押して前記両幅縁部の一方を滑らかな水平面に押し当てた第１状態で定規として使用可能であり、
前記内部の空間への蓋を備え、前記蓋を開けた状態で前記内部の空間へ被収納物を出し入れ可能である、定規。
【請求項２】
長尺状の両幅縁部の一方から他方に向かっておよそテーパー状に広がる外殻を備える定規であって、
前記外殻を指先で押して前記両幅縁部の一方を滑らかな水平面に押し当てた第１状態で定規として使用可能であり、
前記両幅縁部の一方を前記水平面に押し当てるのをやめることで、前記両幅縁部の他方に配置される前記定規の重心が前記第１状態よりも前記水平面に近づくように動き、前記両幅縁部の一方が前記水平面から離れた第２状態と、
を有する、
定規。
【請求項３】
前記両幅縁部の一方に目盛りを備える、
請求項１から請求項２のいずれかに記載の定規。
【発明の詳細な説明】
【技術分野】
【０００１】
本発明は、定規に関する。
【背景技術】
【０００２】
定規においては、特許文献１の実施例のように、用紙面に置かれた定規を指先が僅かに貫通して直接用紙面に触れることができるような複数の穴を備えるアイデアが知られている。
【０００３】
また、定規においては、特許文献２の実施例のように、長尺状の定規の一端部に用紙面から離れる部分を備え、その部分を用紙面に向けて指先で押圧することで定規の他端部が用紙面から離れるので、定規を用紙面から容易に摘み上げることができるアイデアが知られている。
【０００４】
また、定規においては、特許文献３の実施例のように、長尺状の両幅縁部の一方に重心を偏らせることで、指先で押圧することをやめると滑らかな水平面において自動的に両幅縁部の他方が水平面から離れるようなアイデアが知られている。
【先行技術文献】
【特許文献】
【０００５】
【特許文献１】特開２００６−０５１７８４号公報
【特許文献２】実用新案登録第３１３２７４８号公報
【特許文献３】特開２０１１−１７８００３号公報
【発明の概要】
【発明が解決しようとする課題】
【０００６】
定規においては、用紙面に置いて線引き作業や切断作業を行う際に、筆記具やナイフの先端から定規の縁部に加わる力によって定規がずれ動きにくく、且つ用紙面から摘み上げ易いアイデアが求められているが、特許文献１のようなアイデアでは様々な人の指先形状や手の大きさに貫通穴の形状やピッチが対応できないし、特許文献２のようなアイデアでは指先で押圧する部分が限定的で小さく、指先に痛みが伴うような強い圧力が加わる恐れがあり、特許文献３のようなアイデアでは重心が配置された部分が邪魔になって指先で定規を用紙面に押圧する妨げになることが考えられる。
また、定規においては、使用したくなった際にナイフや消しゴムや筆記具等と一緒に在ってほしい。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係る定規は、例えば図１及び２の組み、図３及び４の組み、図５の組み、のいずれかの組みのように、
長尺状の両幅縁部の一方１から他方２に向かっておよそテーパー状に広がる外殻３を備え、内部４に空間を備える定規であって、
外殻３を指先で押して両幅縁部の一方１を滑らかな水平面５に押し当てた例えば図２右図のような第１状態で定規として使用可能であり、
内部４の空間への蓋６を備え、蓋６を開けた状態で内部４の空間へ被収納物を出し入れ可能である、定規である。
【０００９】
発明２に係る定規は、例えば図１及び２の組み、図３及び４の組み、図５の組み、のいずれかの組みのように、
長尺状の両幅縁部の一方１から他方２に向かっておよそテーパー状に広がる外殻３を備える定規であって、
外殻３を指先で押して両幅縁部の一方１を滑らかな水平面５に押し当てた例えば図２右図のような第１状態で定規として使用可能であり、
両幅縁部の一方１を水平面５に押し当てるのをやめることで、両幅縁部の他方２に配置される前記定規の重心１７が前記第１状態よりも水平面５に近づくように動き、両幅縁部の一方１が水平面５から離れた例えば図１、図２左図、図３から５のいずれかのような第２状態と、
を有する、
定規である。
【００１０】
発明３に係る定規は、発明１から発明２のいずれかの定規において、例えば図１及び２の組み、図３及び４の組み、図５の組み、のいずれかの組みのように、
両幅縁部の一方１に目盛り１０を備える、
定規である。
【発明の効果】
【００１１】
以上のように本発明では、複雑な形状に邪魔されずテーパー状に広がる外殻３を指先で気軽に押圧するだけで正確に線引き作業等が行え、且つ外殻３構造によって定規全体の剛性を保ちながら比較的軽量で、且つ厚みのある他方２を転がすように操作することで楽に定規を摘み上げることができるような定規の設計が容易となる。
【００１２】
また発明１では、本発明の効果に加えて、蓋６を開けて内部４の空間にナイフや消しゴムや筆記具等の一緒に在って欲しい被収納物を収納しておけるような定規の設計が容易となる。
【００１３】
また発明２では、本発明の効果に加えて、外殻３構造で一方１側が比較的軽量となったので重心１７を他方２側に偏らせるのに必要な重りも比較的軽量にでき、定規全体としての軽量化を図ることが容易となる。
【００１４】
また発明３では、本発明の効果に加えて、複雑な形状に邪魔されずテーパー状に広がる外殻３は指先が押さえる面にゆとりがあるので、長さを測る際に指先に邪魔されず目盛り１０の視認性が十分確保されるような定規の設計が容易となる。
【図面の簡単な説明】
【００１５】
【図１】第１実施形態を第三角法で表した図
【図２】第１実施形態の動作を２段階で表した定規長手方向中央断面図
【図３】第２実施形態の正面図
【図４】第２実施形態の背面図
【図５】第３実施形態を第三角法で表した図
【発明を実施するための形態】
【００１６】
本発明の第１実施形態を図１及び２に基づいて説明する。
【００１７】
外形は長さ１６ｃｍの長尺状であり両幅縁部の一方１は薄くその表面１２及び裏面１３にはそれぞれ同様の目盛り９及び１０が印刷されている。一方１から他方２に向けてテーパー状に広がる外殻３はおよそ厚み１ｍｍのプラスチック製で本体部１８は両端が開口した筒状となっており、両幅縁部の他方２に沿う軸線１６を中心とする円形殻がテーパー状の外殻３と滑らかにつながっており、軸線１６と定規の底１１の間に半円形断面棒状で金属製の重り１５が固定されており、本体部１８の開口した両端にはそれぞれゴム製の蓋６及び７が開け閉め可能に嵌合されている。
図２左図では、定規全体の重心１７が水平面５に近づく位置で底１１と水平面５が接して静止している。ここで、裏面１３を指先で押して水平面５上で他方２の円形の外周８を転がすようにしてから水平面５に表面１２を押し当てることで図２右図のようになり、一方１の先端２２をガイドに目盛り１０を確認しながら筆記具で水平面５に所定の長さの直線を引くことが可能である。図２右図では図２左図よりも重心１７が水平面５から遠ざかっており、裏面１３を押していた指先を離すと、外周８が水平面５上を転がるようにして図２左図のように自動的に戻る。また、図２左図から表面１２を指先で押して水平面５上で円形の外周１４を転がすようにしてから水平面５に裏面１３を押し当てることで、先端２２をガイドに目盛り９を確認しながら筆記具で水平面５に所定の長さの直線を引くことが可能であり、表面１２を押していた指先を離すと、外周１４が水平面５上を転がるようにして図２左図のように自動的に戻る。
【００１８】
また、内部４の空間に筆記具等の被収納物を入れない場合は、外殻３を更に薄くして内部４に比重の小さい発砲プラスチック等を充填して補強するような案も考えられる。
また、底１１を少し削って平面にしておけば、図１や図２左図の直立状態でより安定するし、重り１５を取り去る案でも図２右図の他方２を丸棒を転がすような感覚で右回りに操作して図２左図まで回転させれば定規は直立状態で安定する。
【００１９】
本発明の第２実施形態は第１実施形態と共通する部分が多いので、主に違いについて図３及び４に基づいて説明する。
【００２０】
第１実施形態と第２実施形態の外形はほぼ同じであるが、本体部１８は両端の閉じた筒状になっており、筒状の外周には大きな挿入口が設けられ、その挿入口を塞ぐように本体部１８の嵌合形状１９に嵌合する蓋６は表面１２側の外殻３の大部分を占めており、一方１に沿う本体部１８の直線状の一端部２０に掛け止められてから底１１に巻き回されるように素材の弾力性を利用してスナップフィットし、スナップフィットに逆らって蓋６を開けると本体部１８の挿入口から筆記具等の被収納物を出し入れできる。また蓋６を開け本体部１８と分離した状態では、蓋６単体で定規として先端２２をガイドに目盛り１０を確認しながら筆記具で水平面５に所定の長さの直線を引くことが可能であるので、本体部１８への被収納物の出し入れ可能な状態で本体部１８をペントレーのように使用して効率的に用紙に線を引いたりナイフで切ったりする作業が可能となるし、蓋６を閉じた状態でも気軽に定規として使えるのである。
【００２１】
また、蓋６を分離できなくても良いという場合は、本体部１８と蓋６の間の例えば嵌合形状１９の直線部２１又は先端２２に例えばプラスチック素材をより薄くして曲げ伸ばし可能に一体成形したヒンジを設けておけば蓋６の開閉は可能である。
【００２２】
本発明の第３実施形態は第２実施形態と共通する部分が多いので、主に違いについて図５に基づいて説明する。
【００２３】
第３実施形態の外形は長手方向の一端部２５から他端部２６に向けてテーパー状に広がっており、細くなった一端部２５は更に他方２から大きく削り取られたような空間２４があり、一方１の目盛り９及び１０を維持したままできるだけ先端２２を水平面５に近づけ、他方２周辺の外殻３も無くして空間２４にすることで外殻３による重心１７の上昇を抑え必要な重り１５の量を減らし、定規全体としての軽量化を図りながらも指先で押さえる面のゆとりは他端部２６側に確保している。
また蓋６は先端２２を中心に対称形になっており、本体部１８を裏表両側から挟み込むようにスナップフィットしている。また、蓋６単体で定規として先端２２をガイドに目盛り９又は１０を確認しながら筆記具で水平面５に所定の長さの直線を引くことが可能である
また底１１には小さな凸形状２３が２脚設けられており、一端部２５側の底１１とこの２脚による３点接地構造を備えている。
【符号の説明】
【００２４】
１.                                      一方
２.                                     他方
３.                                     外殻
４.                                     内部
５.                                     水平面
６,７.                                蓋
８,１４.                             外周
９,１０.                             目盛り
１１.                                  底
１２.                                 表面
１３.                                  裏面
１５.                                 重り
１６.                                  軸線
１７.                                 重心
１８.                                  本体部
１９.                                 嵌合形状
２０,２５.                         一端部
２１.                                 直線部
２２.                                  先端
２３.                                 凸形状
２４.                                  空間
２６.                                 他端部
【図１】
2019142070.tif 000003
【図２】
2019142070.tif 000004
【図３】
2019142070.tif 000005
【図４】
2019142070.tif 000006
【図５】
2019142070.tif 000007
【手続補正書】
【提出日】平成30年8月11日(2018.8.11)
【手続補正１】
【補正対象書類名】特許請求の範囲
【補正対象項目名】全文
【補正方法】変更
【補正の内容】
【特許請求の範囲】
【請求項１】
長尺状の両幅縁部の一方から他方に向かっておよそテーパー状に広がる外殻を備え、内部に空間を備える定規であって、
前記外殻を指先で押して前記両幅縁部の一方を滑らかな水平面に押し当てた第１状態で定規として使用可能であり、
前記内部の空間への蓋を備え、前記蓋を開けた状態で前記内部の空間へ被収納物を出し入れ可能である、定規。
【請求項２】
長尺状の両幅縁部の一方から他方に向かっておよそテーパー状に広がる外殻を備える定規であって、
前記外殻を指先で押して前記両幅縁部の一方を滑らかな水平面に押し当てた第１状態で定規として使用可能であり、
前記両幅縁部の一方を前記水平面に押し当てるのをやめることで、前記両幅縁部の他方に配置される前記定規の重心が前記第１状態よりも前記水平面に近づくように動き、前記両幅縁部の一方が前記水平面から離れた第２状態と、
を有する、
定規。
【請求項３】
長尺筒状の外殻を備え、内部に空間を備える定規であって、
前記外殻を指先で押して前記長尺筒状の両幅縁部の一方を滑らかな水平面に押し当てた第１状態で定規として使用可能であり、
前記外殻の一部を成す前記内部の空間への長尺状の蓋を備え、前記蓋を開けた状態で前記内部の空間へ被収納物を出し入れ可能であり、前記蓋を分離した状態では前記蓋単体で定規として使用可能である、定規。
【手続補正２】
【補正対象書類名】明細書
【補正対象項目名】全文
【補正方法】変更
【補正の内容】
【発明の詳細な説明】
【技術分野】
【０００１】
本発明は、定規に関する。
【背景技術】
【０００２】
定規においては、特許文献１の実施例のように、用紙面に置かれた定規を指先が僅かに貫通して直接用紙面に触れることができるような複数の穴を備えるアイデアが知られている。
【０００３】
また、定規においては、特許文献２の実施例のように、長尺状の定規の一端部に用紙面から離れる部分を備え、その部分を用紙面に向けて指先で押圧することで定規の他端部が用紙面から離れるので、定規を用紙面から容易に摘み上げることができるアイデアが知られている。
【０００４】
また、定規においては、特許文献３の実施例のように、長尺状の両幅縁部の一方に重心を偏らせることで、指先で押圧することをやめると滑らかな水平面において自動的に両幅縁部の他方が水平面から離れるようなアイデアが知られている。
【先行技術文献】
【特許文献】
【０００５】
【特許文献１】特開２００６−０５１７８４号公報
【特許文献２】実用新案登録第３１３２７４８号公報
【特許文献３】特開２０１１−１７８００３号公報
【発明の概要】
【発明が解決しようとする課題】
【０００６】
定規においては、用紙面に置いて線引き作業や切断作業を行う際に、筆記具やナイフの先端から定規の縁部に加わる力によって定規がずれ動きにくく、且つ用紙面から摘み上げ易いアイデアが求められているが、特許文献１のようなアイデアでは様々な人の指先形状や手の大きさに貫通穴の形状やピッチが対応できないし、特許文献２のようなアイデアでは指先で押圧する部分が限定的で小さく、指先に痛みが伴うような強い圧力が加わる恐れがあり、特許文献３のようなアイデアでは重心が配置された部分が邪魔になって指先で定規を用紙面に押圧する妨げになることが考えられる。
また、定規においては、使用したくなった際にナイフや消しゴムや筆記具等と一緒に在ってほしい。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係る定規は、例えば図１及び２の組み、図３及び４の組み、図５の組み、のいずれかの組みのように、
長尺状の両幅縁部の一方１から他方２に向かっておよそテーパー状に広がる外殻３を備え、内部４に空間を備える定規であって、
外殻３を指先で押して両幅縁部の一方１を滑らかな水平面５に押し当てた例えば図２右図のような第１状態で定規として使用可能であり、
内部４の空間への蓋６を備え、蓋６を開けた状態で内部４の空間へ被収納物を出し入れ可能である、定規である。
【０００９】
発明２に係る定規は、例えば図１及び２の組み、図３及び４の組み、図５の組み、のいずれかの組みのように、
長尺状の両幅縁部の一方１から他方２に向かっておよそテーパー状に広がる外殻３を備える定規であって、
外殻３を指先で押して両幅縁部の一方１を滑らかな水平面５に押し当てた例えば図２右図のような第１状態で定規として使用可能であり、
両幅縁部の一方１を水平面５に押し当てるのをやめることで、両幅縁部の他方２に配置される前記定規の重心１７が前記第１状態よりも水平面５に近づくように動き、両幅縁部の一方１が水平面５から離れた例えば図１、図２左図、図３から５のいずれかのような第２状態と、
を有する、
定規である。
【００１０】
発明３に係る定規は、例えば図３及び４の組み、図５の組み、のいずれかの組みのように、
長尺筒状の外殻３を備え、内部４に空間を備える定規であって、
外殻３を指先で押して前記長尺筒状の両幅縁部の一方１を滑らかな水平面５に押し当てた例えば図２右図のような第１状態で定規として使用可能であり、
外殻３の一部を成す長尺状の蓋６を内部４の空間への蓋として備え、蓋６を開けた状態で内部４の空間へ被収納物を出し入れ可能であり、蓋６を分離した状態では蓋６単体で定規として使用可能である、定規である。
【発明の効果】
【００１１】
以上のように本発明では、複雑な形状に邪魔されずテーパー状に広がる外殻３を指先で気軽に押圧するだけで正確に線引き作業等が行え、且つ外殻３構造によって定規全体の剛性を保ちながら比較的軽量で、且つ厚みのある他方２を転がすように操作することで楽に定規を摘み上げることができるような定規の設計が容易となる。
【００１２】
また発明１では、本発明の効果に加えて、蓋６を開けて内部４の空間にナイフや消しゴムや筆記具等の一緒に在って欲しい被収納物を収納しておけるような定規の設計が容易となる。
【００１３】
また発明２では、本発明の効果に加えて、外殻３構造で一方１側が比較的軽量となったので重心１７を他方２側に偏らせるのに必要な重りも比較的軽量にでき、定規全体としての軽量化を図ることが容易となる。
【００１４】
また発明３では、本発明の効果に加えて、蓋６を開け本体部１８と分離した状態では、本体部１８への被収納物の出し入れ可能な状態で本体部１８をペントレーのように使用して効率的に蓋６単体で定規として用紙に線を引いたりナイフで切ったりする作業が可能となるような定規の設計が容易となる。
【図面の簡単な説明】
【００１５】
【図１】第１実施形態を第三角法で表した図
【図２】第１実施形態の動作を２段階で表した定規長手方向中央断面図
【図３】第２実施形態の正面図
【図４】第２実施形態の背面図
【図５】第３実施形態を第三角法で表した図
【発明を実施するための形態】
【００１６】
本発明の第１実施形態を図１及び２に基づいて説明する。
【００１７】
外形は長さ１６ｃｍの長尺状であり両幅縁部の一方１は薄くその表面１２及び裏面１３にはそれぞれ同様の目盛り９及び１０が印刷されている。一方１から他方２に向けてテーパー状に広がる外殻３はおよそ厚み１ｍｍのプラスチック製で本体部１８は両端が開口した筒状となっており、両幅縁部の他方２に沿う軸線１６を中心とする円形殻がテーパー状の外殻３と滑らかにつながっており、軸線１６と定規の底１１の間に半円形断面棒状で金属製の重り１５が固定されており、本体部１８の開口した両端にはそれぞれゴム製の蓋６及び７が開け閉め可能に嵌合されている。
図２左図では、定規全体の重心１７が水平面５に近づく位置で底１１と水平面５が接して静止している。ここで、裏面１３を指先で押して水平面５上で他方２の円形の外周８を転がすようにしてから水平面５に表面１２を押し当てることで図２右図のようになり、一方１の先端２２をガイドに目盛り１０を確認しながら筆記具で水平面５に所定の長さの直線を引くことが可能である。図２右図では図２左図よりも重心１７が水平面５から遠ざかっており、裏面１３を押していた指先を離すと、外周８が水平面５上を転がるようにして図２左図のように自動的に戻る。また、図２左図から表面１２を指先で押して水平面５上で円形の外周１４を転がすようにしてから水平面５に裏面１３を押し当てることで、先端２２をガイドに目盛り９を確認しながら筆記具で水平面５に所定の長さの直線を引くことが可能であり、表面１２を押していた指先を離すと、外周１４が水平面５上を転がるようにして図２左図のように自動的に戻る。
【００１８】
また、内部４の空間に筆記具等の被収納物を入れない場合は、外殻３を更に薄くして内部４に比重の小さい発砲プラスチック等を充填して補強するような案も考えられる。
また、底１１を少し削って平面にしておけば、図１や図２左図の直立状態でより安定するし、重り１５を取り去る案でも図２右図の他方２を丸棒を転がすような感覚で右回りに操作して図２左図まで回転させれば定規は直立状態で安定する。
【００１９】
本発明の第２実施形態は第１実施形態と共通する部分が多いので、主に違いについて図３及び４に基づいて説明する。
【００２０】
第１実施形態と第２実施形態の外形はほぼ同じであるが、本体部１８は両端の閉じた筒状になっており、筒状の外周には大きな挿入口が設けられ、その挿入口を塞ぐように本体部１８の嵌合形状１９に嵌合する蓋６は表面１２側の外殻３の大部分を占めており、一方１に沿う本体部１８の直線状の一端部２０に掛け止められてから底１１に巻き回されるように素材の弾力性を利用してスナップフィットし、スナップフィットに逆らって蓋６を開けると本体部１８の挿入口から筆記具等の被収納物を出し入れできる。また蓋６を開け本体部１８と分離した状態では、蓋６単体で定規として先端２２をガイドに目盛り１０を確認しながら筆記具で水平面５に所定の長さの直線を引くことが可能であるので、本体部１８への被収納物の出し入れ可能な状態で本体部１８をペントレーのように使用して効率的に用紙に線を引いたりナイフで切ったりする作業が可能となるし、蓋６を閉じた状態でも気軽に定規として使えるのである。
【００２１】
また、蓋６を分離できなくても良いという場合は、本体部１８と蓋６の間の例えば嵌合形状１９の直線部２１又は先端２２に例えばプラスチック素材をより薄くして曲げ伸ばし可能に一体成形したヒンジを設けておけば蓋６の開閉は可能である。
【００２２】
本発明の第３実施形態は第２実施形態と共通する部分が多いので、主に違いについて図５に基づいて説明する。
【００２３】
第３実施形態の外形は長手方向の一端部２５から他端部２６に向けてテーパー状に広がっており、細くなった一端部２５は更に他方２から大きく削り取られたような空間２４があり、一方１の目盛り９及び１０を維持したままできるだけ先端２２を水平面５に近づけ、他方２周辺の外殻３も無くして空間２４にすることで外殻３による重心１７の上昇を抑え必要な重り１５の量を減らし、定規全体としての軽量化を図りながらも指先で押さえる面のゆとりは他端部２６側に確保している。
また蓋６は先端２２を中心に対称形になっており、本体部１８を裏表両側から挟み込むようにスナップフィットしている。また、蓋６単体で定規として先端２２をガイドに目盛り９又は１０を確認しながら筆記具で水平面５に所定の長さの直線を引くことが可能である
また底１１には小さな凸形状２３が２脚設けられており、一端部２５側の底１１とこの２脚による３点接地構造を備えている。
【符号の説明】
【００２４】
１.                                      一方
２.                                      他方
３.                                      外殻
４.                                      内部
５.                                      水平面
６,７.                                 蓋
８,１４.                             外周
９,１０.                             目盛り
１１.                                  底
１２.                                  表面
１３.                                  裏面
１５.                                  重り
１６.                                  軸線
１７.                                  重心
１８.                                  本体部
１９.                                  嵌合形状
２０,２５.                         一端部
２１.                                  直線部
２２.                                  先端
２３.                                  凸形状
２４.                                  空間
２６.                                  他端部
【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
長尺状の両幅縁部の一方から他方に向かっておよそテーパー状に広がる外殻を備える定規であって、
前記外殻を指先で押して前記両幅縁部の一方を滑らかな水平面に押し当てた第１状態で定規として使用可能であり、
前記両幅縁部の一方に沿い他方に向かって延び前記外殻の一部を成す長尺状の蓋を備え、前記蓋を開けた状態で内部の空間へ被収納物を出し入れ可能である、
定規。
【請求項２】
長尺状の両幅縁部の一方から他方に向かっておよそテーパー状に広がる外殻を備える定規であって、
前記外殻を指先で押して前記両幅縁部の一方を滑らかな水平面に押し当てた第１状態で定規として使用可能であり、
前記両幅縁部の一方を前記水平面に押し当てるのをやめることで、前記両幅縁部の他方に配置される前記定規の重心が前記第１状態よりも前記水平面に近づくように動き、前記両幅縁部の一方が前記水平面から離れた第２状態と、
を有する、
定規。
【請求項３】
前記蓋を分離した状態では前記蓋単体で定規として使用可能である、
請求項１に記載の定規。
【手続補正２】
【補正対象書類名】明細書
【補正対象項目名】全文
【補正方法】変更
【補正の内容】
【発明の詳細な説明】
【技術分野】
【０００１】
本発明は、定規に関する。
【背景技術】
【０００２】
定規においては、特許文献１の実施例のように、用紙面に置かれた定規を指先が僅かに貫通して直接用紙面に触れることができるような複数の穴を備えるアイデアが知られている。
【０００３】
また、定規においては、特許文献２の実施例のように、長尺状の定規の一端部に用紙面から離れる部分を備え、その部分を用紙面に向けて指先で押圧することで定規の他端部が用紙面から離れるので、定規を用紙面から容易に摘み上げることができるアイデアが知られている。
【０００４】
また、定規においては、特許文献３の実施例のように、長尺状の両幅縁部の一方に重心を偏らせることで、指先で押圧することをやめると滑らかな水平面において自動的に両幅縁部の他方が水平面から離れるようなアイデアが知られている。
【先行技術文献】
【特許文献】
【０００５】
【特許文献１】特開２００６−０５１７８４号公報
【特許文献２】実用新案登録第３１３２７４８号公報
【特許文献３】特開２０１１−１７８００３号公報
【発明の概要】
【発明が解決しようとする課題】
【０００６】
定規においては、用紙面に置いて線引き作業や切断作業を行う際に、筆記具やナイフの先端から定規の縁部に加わる力によって定規がずれ動きにくく、且つ用紙面から摘み上げ易いアイデアが求められているが、特許文献１のようなアイデアでは様々な人の指先形状や手の大きさに貫通穴の形状やピッチが対応できないし、特許文献２のようなアイデアでは指先で押圧する部分が限定的で小さく、指先に痛みが伴うような強い圧力が加わる恐れがあり、特許文献３のようなアイデアでは重心が配置された部分が邪魔になって指先で定規を用紙面に押圧する妨げになることが考えられる。
また、定規においては、使用したくなった際にナイフや消しゴムや筆記具等と一緒に在ってほしい。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係る定規は、例えば図３及び４の組み、図５の組み、のいずれかの組みのように、
長尺状の両幅縁部の一方１から他方２に向かっておよそテーパー状に広がる外殻３を備える定規であって、
外殻３を指先で押して両幅縁部の一方１を滑らかな水平面５に押し当てた例えば図２右図のような第１状態で定規として使用可能であり、
両幅縁部の一方１に沿い他方２に向かって延び外殻３の一部を成す長尺状の蓋６を備え、蓋６を開けた状態で内部４の空間へ被収納物を出し入れ可能である、
定規である。
【０００９】
発明２に係る定規は、例えば図１及び２の組み、図３及び４の組み、図５の組み、のいずれかの組みのように、
長尺状の両幅縁部の一方１から他方２に向かっておよそテーパー状に広がる外殻３を備える定規であって、
外殻３を指先で押して両幅縁部の一方１を滑らかな水平面５に押し当てた例えば図２右図のような第１状態で定規として使用可能であり、
両幅縁部の一方１を水平面５に押し当てるのをやめることで、両幅縁部の他方２に配置される前記定規の重心１７が前記第１状態よりも水平面５に近づくように動き、両幅縁部の一方１が水平面５から離れた例えば図１、図２左図、図３から５のいずれかのような第２状態と、
を有する、
定規である。
【００１０】
発明３に係る定規は、発明１の定規において、例えば図３及び４の組み、図５の組み、のいずれかの組みのように、
蓋６を分離した状態では蓋６単体で定規として使用可能である、
定規である。
【発明の効果】
【００１１】
以上のように本発明では、複雑な形状に邪魔されずテーパー状に広がる外殻３を指先で気軽に押圧するだけで正確に線引き作業等が行え、且つ外殻３構造によって定規全体の剛性を保ちながら比較的軽量で、且つ厚みのある他方２を転がすように操作することで楽に定規を摘み上げることができるような定規の設計が容易となる。
【００１２】
また発明１では、本発明の効果に加えて、蓋６を開けて内部４の空間にナイフや消しゴムや筆記具等の一緒に在って欲しい被収納物を収納しておけるような定規の設計が容易となる。
【００１３】
また発明２では、本発明の効果に加えて、外殻３構造で一方１側が比較的軽量となったので重心１７を他方２側に偏らせるのに必要な重りも比較的軽量にでき、定規全体としての軽量化を図ることが容易となる。
【００１４】
また発明３では、本発明の効果に加えて、蓋６を開け本体部１８と分離した状態では、本体部１８への被収納物の出し入れ可能な状態で本体部１８をペントレーのように使用して効率的に蓋６単体で定規として用紙に線を引いたりナイフで切ったりする作業が可能となるような定規の設計が容易となる。
【図面の簡単な説明】
【００１５】
【図１】第１実施形態を第三角法で表した図
【図２】第１実施形態の動作を２段階で表した定規長手方向中央断面図
【図３】第２実施形態の正面図
【図４】第２実施形態の背面図
【図５】第３実施形態を第三角法で表した図
【発明を実施するための形態】
【００１６】
本発明の第１実施形態を図１及び２に基づいて説明する。
【００１７】
外形は長さ１６ｃｍの長尺状であり両幅縁部の一方１は薄くその表面１２及び裏面１３にはそれぞれ同様の目盛り９及び１０が印刷されている。一方１から他方２に向けてテーパー状に広がる外殻３はおよそ厚み１ｍｍのプラスチック製で本体部１８は両端が開口した筒状となっており、両幅縁部の他方２に沿う軸線１６を中心とする円形殻がテーパー状の外殻３と滑らかにつながっており、軸線１６と定規の底１１の間に半円形断面棒状で金属製の重り１５が固定されており、本体部１８の開口した両端にはそれぞれゴム製の蓋６及び７が開け閉め可能に嵌合されている。
図２左図では、定規全体の重心１７が水平面５に近づく位置で底１１と水平面５が接して静止している。ここで、裏面１３を指先で押して水平面５上で他方２の円形の外周８を転がすようにしてから水平面５に表面１２を押し当てることで図２右図のようになり、一方１の先端２２をガイドに目盛り１０を確認しながら筆記具で水平面５に所定の長さの直線を引くことが可能である。図２右図では図２左図よりも重心１７が水平面５から遠ざかっており、裏面１３を押していた指先を離すと、外周８が水平面５上を転がるようにして図２左図のように自動的に戻る。また、図２左図から表面１２を指先で押して水平面５上で円形の外周１４を転がすようにしてから水平面５に裏面１３を押し当てることで、先端２２をガイドに目盛り９を確認しながら筆記具で水平面５に所定の長さの直線を引くことが可能であり、表面１２を押していた指先を離すと、外周１４が水平面５上を転がるようにして図２左図のように自動的に戻る。
【００１８】
また、内部４の空間に筆記具等の被収納物を入れない場合は、外殻３を更に薄くして内部４に比重の小さい発砲プラスチック等を充填して補強するような案も考えられる。
また、底１１を少し削って平面にしておけば、図１や図２左図の直立状態でより安定するし、重り１５を取り去る案でも図２右図の他方２を丸棒を転がすような感覚で右回りに操作して図２左図まで回転させれば定規は直立状態で安定する。
【００１９】
本発明の第２実施形態は第１実施形態と共通する部分が多いので、主に違いについて図３及び４に基づいて説明する。
【００２０】
第１実施形態と第２実施形態の外形はほぼ同じであるが、本体部１８は両端の閉じた筒状になっており、筒状の外周には大きな挿入口が設けられ、その挿入口を塞ぐように本体部１８の嵌合形状１９に嵌合する蓋６は表面１２側の外殻３の大部分を占めており、一方１に沿う本体部１８の直線状の一端部２０に掛け止められてから底１１に巻き回されるように素材の弾力性を利用してスナップフィットし、スナップフィットに逆らって蓋６を開けると本体部１８の挿入口から筆記具等の被収納物を出し入れできる。また蓋６を開け本体部１８と分離した状態では、蓋６単体で定規として先端２２をガイドに目盛り１０を確認しながら筆記具で水平面５に所定の長さの直線を引くことが可能であるので、本体部１８への被収納物の出し入れ可能な状態で本体部１８をペントレーのように使用して効率的に用紙に線を引いたりナイフで切ったりする作業が可能となるし、蓋６を閉じた状態でも気軽に定規として使えるのである。
【００２１】
また、蓋６を分離できなくても良いという場合は、本体部１８と蓋６の間の例えば嵌合形状１９の直線部２１又は先端２２に例えばプラスチック素材をより薄くして曲げ伸ばし可能に一体成形したヒンジを設けておけば蓋６の開閉は可能である。
【００２２】
本発明の第３実施形態は第２実施形態と共通する部分が多いので、主に違いについて図５に基づいて説明する。
【００２３】
第３実施形態の外形は長手方向の一端部２５から他端部２６に向けてテーパー状に広がっており、細くなった一端部２５は更に他方２から大きく削り取られたような空間２４があり、一方１の目盛り９及び１０を維持したままできるだけ先端２２を水平面５に近づけ、他方２周辺の外殻３も無くして空間２４にすることで外殻３による重心１７の上昇を抑え必要な重り１５の量を減らし、定規全体としての軽量化を図りながらも指先で押さえる面のゆとりは他端部２６側に確保している。
また蓋６は先端２２を中心に対称形になっており、本体部１８を裏表両側から挟み込むようにスナップフィットしている。また、蓋６単体で定規として先端２２をガイドに目盛り９又は１０を確認しながら筆記具で水平面５に所定の長さの直線を引くことが可能である
また底１１には小さな凸形状２３が２脚設けられており、一端部２５側の底１１とこの２脚による３点接地構造を備えている。
【符号の説明】
【００２４】
１.                                      一方
２.                                      他方
３.                                      外殻
４.                                      内部
５.                                      水平面
６,７.                                 蓋
８,１４.                             外周
９,１０.                             目盛り
１１.                                  底
１２.                                  表面
１３.                                  裏面
１５.                                  重り
１６.                                  軸線
１７.                                  重心
１８.                                  本体部
１９.                                  嵌合形状
２０,２５.                         一端部
２１.                                  直線部
２２.                                  先端
２３.                                  凸形状
２４.                                  空間
２６.                                  他端部
【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
長尺状の定規であって、長手方向に沿う両幅縁部の一方から他方に向かっておよそテーパー状に前記定規の厚み方向に広がる外殻を備え、
前記外殻を指先で押して前記両幅縁部の一方を滑らかな水平面に押し当てた第１状態で前記両幅縁部の一方に沿う先端をガイドに定規として使用可能であり、
前記両幅縁部の一方に沿い前記先端の少なくとも一部を成し、他方に向かって延び前記外殻の一部を成す長尺状の蓋を備え、前記蓋を開けた状態で内部の空間へ被収納物を出し入れ可能であり、
前記蓋を分離した状態では前記蓋単体で定規として使用可能である、
定規。
【請求項２】
長尺状の定規であって、長手方向に沿う両幅縁部の一方から他方に向かっておよそテーパー状に前記定規の厚み方向に広がる外殻を備え、
前記外殻を指先で押して前記両幅縁部の一方を滑らかな水平面に押し当てた第１状態で前記両幅縁部の一方に沿う先端をガイドに定規として使用可能であり、
前記両幅縁部の一方を前記水平面に押し当てるのをやめることで、前記両幅縁部の他方に配置される前記定規の重心が前記第１状態よりも前記水平面に近づくように動き、前記両幅縁部の一方が前記水平面から離れた第２状態と、
を有し、
前記長手方向の一端部から他端部に向かっておよそテーパー状に前記定規の幅方向に広がる前記外殻を備える、又は、前記両幅縁部の一方よりも他方の方が短い前記外殻を備える、
の少なくともどちらかの特徴を持つ、
定規。
【請求項３】
前記両幅縁部の一方の前記蓋に目盛りを備える、
請求項１に記載の定規。
【手続補正２】
【補正対象書類名】明細書
【補正対象項目名】全文
【補正方法】変更
【補正の内容】
【発明の詳細な説明】
【技術分野】
【０００１】
本発明は、定規に関する。
【背景技術】
【０００２】
定規においては、特許文献１の実施例のように、用紙面に置かれた定規を指先が僅かに貫通して直接用紙面に触れることができるような複数の穴を備えるアイデアが知られている。
【０００３】
また、定規においては、特許文献２の実施例のように、長尺状の定規の一端部に用紙面から離れる部分を備え、その部分を用紙面に向けて指先で押圧することで定規の他端部が用紙面から離れるので、定規を用紙面から容易に摘み上げることができるアイデアが知られている。
【０００４】
また、定規においては、特許文献３の実施例のように、長尺状の両幅縁部の一方に重心を偏らせることで、指先で押圧することをやめると滑らかな水平面において自動的に両幅縁部の他方が水平面から離れるようなアイデアが知られている。
【先行技術文献】
【特許文献】
【０００５】
【特許文献１】特開２００６−０５１７８４号公報
【特許文献２】実用新案登録第３１３２７４８号公報
【特許文献３】特開２０１１−１７８００３号公報
【発明の概要】
【発明が解決しようとする課題】
【０００６】
定規においては、用紙面に置いて線引き作業や切断作業を行う際に、筆記具やナイフの先端から定規の縁部に加わる力によって定規がずれ動きにくく、且つ用紙面から摘み上げ易いアイデアが求められているが、特許文献１のようなアイデアでは様々な人の指先形状や手の大きさに貫通穴の形状やピッチが対応できないし、特許文献２のようなアイデアでは指先で押圧する部分が限定的で小さく、指先に痛みが伴うような強い圧力が加わる恐れがあり、特許文献３のようなアイデアでは重心が配置された部分が邪魔になって指先で定規を用紙面に押圧する妨げになることが考えられる。
また、定規においては、使用したくなった際にナイフや消しゴムや筆記具等と一緒に在ってほしい。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係る定規は、例えば図３及び４の組み、図５の組み、のいずれかの組みのように、
長尺状の定規であって、長手方向に沿う両幅縁部の一方１から他方２に向かっておよそテーパー状に前記定規の厚み方向に広がる外殻３を備え、
外殻３を指先で押して両幅縁部の一方１を滑らかな水平面５に押し当てた例えば図２右図のような第１状態で両幅縁部の一方１に沿う先端２２をガイドに定規として使用可能であり、
両幅縁部の一方１に沿い先端２２の少なくとも一部を成し、他方２に向かって延び外殻３の一部を成す長尺状の蓋６を備え、蓋６を開けた状態で内部４の空間へ被収納物を出し入れ可能であり、
蓋６を分離した状態では蓋６単体で定規として使用可能である、
定規である。
【０００９】
発明２に係る定規は、例えば図１及び２の組み、図３及び４の組み、図５の組み、のいずれかの組みのように、
長尺状の定規であって、長手方向に沿う両幅縁部の一方１から他方２に向かっておよそテーパー状に前記定規の厚み方向に広がる外殻３を備え、
外殻３を指先で押して両幅縁部の一方１を滑らかな水平面５に押し当てた例えば図２右図のような第１状態で両幅縁部の一方１に沿う先端２２をガイドに定規として使用可能であり、
両幅縁部の一方１を水平面５に押し当てるのをやめることで、両幅縁部の他方２に配置される前記定規の重心１７が前記第１状態よりも水平面５に近づくように動き、両幅縁部の一方１が水平面５から離れた例えば図１、図２左図、図３から５のいずれかのような第２状態と、
を有し、
前記長手方向の一端部２５から他端部２６に向かっておよそテーパー状に前記定規の幅方向に広がる外殻３を備える、又は、両幅縁部の一方１よりも他方２の方が短い外殻３を備える、
の少なくともどちらかの特徴を持つ、
定規である。
【００１０】
発明３に係る定規は、発明１の定規において、例えば図３及び４の組み、図５の組み、のいずれかの組みのように、
両幅縁部の一方１の蓋６に目盛り９又は１０の少なくともどちらかを備える、
定規である。
【発明の効果】
【００１１】
以上のように本発明では、複雑な形状に邪魔されずテーパー状に広がる外殻３を指先で気軽に押圧するだけで正確に線引き作業等が行え、且つ外殻３構造によって定規全体の剛性を保ちながら比較的軽量で、且つ厚みのある他方２を転がすように操作することで楽に定規を摘み上げることができるような定規の設計が容易となる。
【００１２】
また発明１では、本発明の効果に加えて、蓋６を開けて内部４の空間にナイフや消しゴムや筆記具等の一緒に在って欲しい被収納物を収納しておけるような定規の設計が容易となる。
【００１３】
加えて、蓋６を開け本体部１８と分離した状態では、本体部１８への被収納物の出し入れ可能な状態で本体部１８をペントレーのように使用して効率的に蓋６単体で定規として用紙に線を引いたりナイフで切ったりする作業が可能となるような定規の設計が容易となる。
【００１４】
また発明２では、本発明の効果に加えて、外殻３構造で一方１側が比較的軽量となったので重心１７を他方２側に偏らせるのに必要な重りも比較的軽量にでき、定規全体としての軽量化を図ることが容易となる。
【図面の簡単な説明】
【００１５】
【図１】第１実施形態を第三角法で表した図
【図２】第１実施形態の動作を２段階で表した定規長手方向中央断面図
【図３】第２実施形態の正面図
【図４】第２実施形態の背面図
【図５】第３実施形態を第三角法で表した図
【発明を実施するための形態】
【００１６】
本発明の第１実施形態を図１及び２に基づいて説明する。
【００１７】
外形は長さ１６ｃｍの長尺状であり両幅縁部の一方１は薄くその表面１２及び裏面１３にはそれぞれ同様の目盛り９及び１０が印刷されている。一方１から他方２に向けてテーパー状に広がる外殻３はおよそ厚み１ｍｍのプラスチック製で本体部１８は両端が開口した筒状となっており、両幅縁部の他方２に沿う軸線１６を中心とする円形殻がテーパー状の外殻３と滑らかにつながっており、軸線１６と定規の底１１の間に半円形断面棒状で金属製の重り１５が固定されており、本体部１８の開口した両端にはそれぞれゴム製の蓋６及び７が開け閉め可能に嵌合されている。
図２左図では、定規全体の重心１７が水平面５に近づく位置で底１１と水平面５が接して静止している。ここで、裏面１３を指先で押して水平面５上で他方２の円形の外周８を転がすようにしてから水平面５に表面１２を押し当てることで図２右図のようになり、一方１の先端２２をガイドに目盛り１０を確認しながら筆記具で水平面５に所定の長さの直線を引くことが可能である。図２右図では図２左図よりも重心１７が水平面５から遠ざかっており、裏面１３を押していた指先を離すと、外周８が水平面５上を転がるようにして図２左図のように自動的に戻る。また、図２左図から表面１２を指先で押して水平面５上で円形の外周１４を転がすようにしてから水平面５に裏面１３を押し当てることで、先端２２をガイドに目盛り９を確認しながら筆記具で水平面５に所定の長さの直線を引くことが可能であり、表面１２を押していた指先を離すと、外周１４が水平面５上を転がるようにして図２左図のように自動的に戻る。
【００１８】
また、内部４の空間に筆記具等の被収納物を入れない場合は、外殻３を更に薄くして内部４に比重の小さい発砲プラスチック等を充填して補強するような案も考えられる。
また、底１１を少し削って平面にしておけば、図１や図２左図の直立状態でより安定するし、重り１５を取り去る案でも図２右図の他方２を丸棒を転がすような感覚で右回りに操作して図２左図まで回転させれば定規は直立状態で安定する。
【００１９】
本発明の第２実施形態は第１実施形態と共通する部分が多いので、主に違いについて図３及び４に基づいて説明する。
【００２０】
第１実施形態と第２実施形態の外形はほぼ同じであるが、本体部１８は両端の閉じた筒状になっており、筒状の外周には大きな挿入口が設けられ、その挿入口を塞ぐように本体部１８の嵌合形状１９に嵌合する蓋６は表面１２側の外殻３の大部分を占めており、一方１に沿う本体部１８の直線状の一端部２０に掛け止められてから底１１に巻き回されるように素材の弾力性を利用してスナップフィットし、スナップフィットに逆らって蓋６を開けると本体部１８の挿入口から筆記具等の被収納物を出し入れできる。また蓋６を開け本体部１８と分離した状態では、蓋６単体で定規として先端２２をガイドに目盛り１０を確認しながら筆記具で水平面５に所定の長さの直線を引くことが可能であるので、本体部１８への被収納物の出し入れ可能な状態で本体部１８をペントレーのように使用して効率的に用紙に線を引いたりナイフで切ったりする作業が可能となるし、蓋６を閉じた状態でも気軽に定規として使えるのである。
【００２１】
本発明の第３実施形態は第２実施形態と共通する部分が多いので、主に違いについて図５に基づいて説明する。
【００２２】
第３実施形態の外形は長手方向の一端部２５から他端部２６に向けてテーパー状に広がっており、細くなった一端部２５は更に他方２から大きく削り取られたような空間２４があり、一方１の目盛り９及び１０を維持したままできるだけ先端２２を水平面５に近づけ、他方２周辺の外殻３も無くして空間２４にすることで外殻３による重心１７の上昇を抑え必要な重り１５の量を減らし、定規全体としての軽量化を図りながらも指先で押さえる面のゆとりは他端部２６側に確保している。
また蓋６は先端２２を中心に対称形になっており、本体部１８を裏表両側から挟み込むようにスナップフィットしている。また、蓋６単体で定規として先端２２をガイドに目盛り９又は１０を確認しながら筆記具で水平面５に所定の長さの直線を引くことが可能である
また底１１には小さな凸形状２３が２脚設けられており、一端部２５側の底１１とこの２脚による３点接地構造を備えている。
【符号の説明】
【００２３】
１.                                      一方
２.                                      他方
３.                                      外殻
４.                                      内部
５.                                      水平面
６,７.                                 蓋
８,１４.                             外周
９,１０.                             目盛り
１１.                                  底
１２.                                  表面
１３.                                  裏面
１５.                                  重り
１６.                                  軸線
１７.                                  重心
１８.                                  本体部
１９.                                  嵌合形状
２０,２５.                         一端部
２１.                                  直線部
２２.                                  先端
２３.                                  凸形状
２４.                                  空間
２６.                                  他端部